(57)【要約】【課題】デジタル放送の信号を、無線ＬＡＮを用いて送信する場合においても、デジタル放送を受信する受信装置で途切れることなく放送を再生することができる。【解決手段】受信部４１は、デジタル放送の送信信号であるＴＳパケットを変換したＩＰパケットを、通信ネットワークを介して受信する。バッファ部４２は、受信したＩＰパケットを一時記憶する。監視部４３は、バッファ部４２に入力されるＩＰパケットの量と出力されるＩＰパケットの量とを監視する。出力クロック生成部４４は、バッファ部４２が記憶するＩＰパケットの量が一定となるように出力クロックを生成する。ＩＰパケット出力処理部４５は、出力クロックに基づいて、バッファ部４２からＩＰパケットを読み出す。フレーム生成部４６は、ＩＰパケットを無線ＬＡＮフォーマットに生成する。無線ＬＡＮ送信部４７は、出力処理部４５が読み出したＩＰパケットを無線ＬＡＮで送信する。【選択図】図２
2010045469.tif 000002
【特許請求の範囲】
【請求項１】
デジタル放送の送信信号であるＴＳ（Ｔｒａｎｓｐｏｒｔ  Ｓｙｓｔｅｍ）パケットを変換したＩＰ（Ｉｎｔｅｒｎｅｔ  Ｐｒｏｔｏｃｏｌ）パケットを、通信ネットワークを介して受信する受信部と、
受信した前記ＩＰパケットを一時記憶するバッファ部と、
前記バッファ部に入力される前記ＩＰパケットの量と、前記バッファ部から出力される前記ＩＰパケットの量とを監視する監視部と、
前記監視部の監視結果に基づいて、前記バッファ部が記憶する前記ＩＰパケットの量が一定となるように出力クロックを生成する出力クロック生成部と、
前記出力クロックに基づいて、前記バッファ部から前記ＩＰパケットを読み出すIPパケット出力処理部と、
前記IPパケット出力処理部からのIPパケットを無線LANフォーマットに生成するフレーム生成部と、
前記出力処理部が読み出した前記ＩＰパケットを無線ＬＡＮ（Ｌｏｃａｌ Ａｒｅａ Ｎｅｔｗｏｒｋ、構内通信網）で送信する無線ＬＡＮ送信部と、
を備えたことを特徴とする放送信号転送装置。
【請求項２】
デジタル放送の送信信号であるＴＳパケットを変換したＩＰパケットを、通信ネットワークを介して受信する受信部と、受信した前記ＩＰパケットを一時記憶するバッファ部と、前記バッファ部に入力される前記ＩＰパケットの量と、前記バッファ部から出力される前記ＩＰパケットの量とを監視する監視部と、前記監視部の監視結果に基づいて、前記バッファ部が記憶する前記ＩＰパケットの量が一定となるように出力クロックを生成する出力クロック生成部と、前記出力クロックに基づいて、前記バッファ部から前記ＩＰパケットを読み出す出力処理部と、前記出力処理部が読み出した前記ＩＰパケットを無線ＬＡＮで送信する無線ＬＡＮ送信部と、を備えた放送信号転送装置と、
前記無線ＬＡＮで送信された前記ＩＰパケットを受信する無線ＬＡＮ受信部と、受信した前記ＩＰパケットから前記ＴＳパケットを取得するIP処理部と、前記パケットの到着間隔からＯＦＤＭ変調用クロックを生成するＴＳ処理クロック同期部と、取得した前記ＴＳパケットを前記ＯＦＤＭ変調用クロックによりＯＦＤＭ変調してＲＦ信号を出力するOFDM変調部と、を備えた放送信号中継装置と、
を備えたことを特徴とする放送信号再送信システム。
【請求項３】
同一宅内に、前記放送信号転送装置を１台または複数台備え、前記放送信号中継装置を１台または複数台備えた
ことを特徴とする請求項２に記載の放送信号再送信システム。
【請求項４】
同一宅内に前記放送信号中継装置を複数備えた前記放送信号再送信システムであって、
複数の前記放送信号中継装置が送信する前記ＲＦ信号の干渉を減少させるように前記ＴＳパケットにガードインターバルを設定するガードインターバル設定部
を備えたことを特徴とする請求項２または請求項３のいずれか１項に記載の放送信号再送信システム。
【発明の詳細な説明】
【技術分野】
【０００１】
本発明は、放送信号転送装置および放送信号再送信システムに関する。
【背景技術】
【０００２】
デジタル放送として、ワンセグ放送などが知られている。受信装置を用いて、宅内など建造物内でこのデジタル放送を視聴するニーズは高いが、デジタル放送の電波強度により、宅内でデジタル放送を直接受信することは容易ではない。
【０００３】
これを解決するために、有線により宅内にデジタル放送の信号を取り込み、取り込んだ信号を、放送波を用いて宅内に再送信する送信装置を用いる方法が知られている（例えば、特許文献１参照）。
【特許文献１】特開２００８−３４８９８号公報
【発明の開示】
【発明が解決しようとする課題】
【０００４】
しかしながら、電波法に定められた手続を踏むことなく信号を無線で送信するためには、送信装置が用いる放送波の電波の強度を微弱とする必要があり、この送信装置から離れた位置でデジタル放送を視聴することができない。
【０００５】
また、電波法に対応するため、送信装置が放送信号を送信する手段として、中継装置を設けてここまで無線ＬＡＮ（Ｌｏｃａｌ  Ａｒｅａ  Ｎｅｔｗｏｒｋ、構内通信網）を用い中継装置から微弱な放送信号を送出することが考えられる。具体的には、無線ＬＡＮで送信するＩＰパケットに、デジタル放送の信号である放送ＴＳ（Ｔｒａｎｓｐｏｒｔ  Ｓｙｓｔｅｍ）パケットを含んで送信する。しかしながら、一般的に、無線ＬＡＮでは、信号を送信するフレームを一定間隔などの条件に基づいた送出を行わず、バースト的に送信する。このため、中継装置では、放送ＴＳパケットが含まれるＩＰパケットを受信しても、ＯＦＤＭ変調用クロックを正しく生成することができない期間が発生する。よって、中継装置では、この期間における微弱放送信号を送出することができないという問題がある。
【０００６】
本発明は上記の課題を解決するためになされたものであり、デジタル放送の信号を、無線ＬＡＮを用いて送信する場合においても、デジタル放送を中継する中継装置で途切れることなく放送信号を送出することができる放送信号転送装置および放送信号再送信システムを提供することを目的とする。
【課題を解決するための手段】
【０００７】
本発明は、デジタル放送の送信信号であるＴＳ（Ｔｒａｎｓｐｏｒｔ  Ｓｙｓｔｅｍ）パケットを変換したＩＰ（Ｉｎｔｅｒｎｅｔ  Ｐｒｏｔｏｃｏｌ）パケットを、通信ネットワークを介して受信する受信部と、受信した前記ＩＰパケットを一時記憶するバッファ部と、前記バッファ部に入力される前記ＩＰパケットの量と、前記バッファ部から出力される前記ＩＰパケットの量とを監視する監視部と、前記監視部の監視結果に基づいて、前記バッファ部が記憶する前記ＩＰパケットの量が一定となるように出力クロックを生成する出力クロック生成部と、前記出力クロックに基づいて、前記バッファ部から前記ＩＰパケットを読み出すIPパケット出力処理部と、前記IPパケット出力処理部からのIPパケットを無線LANフォーマットに生成するフレーム生成部と、前記出力処理部が読み出した前記ＩＰパケットを無線ＬＡＮ（Ｌｏｃａｌ Ａｒｅａ Ｎｅｔｗｏｒｋ、構内通信網）で送信する無線ＬＡＮ送信部と、を備えたことを特徴とする放送信号転送装置である。
【０００８】
また、本発明は、デジタル放送の送信信号であるＴＳパケットを変換したＩＰパケットを、通信ネットワークを介して受信する受信部と、受信した前記ＩＰパケットを一時記憶するバッファ部と、前記バッファ部に入力される前記ＩＰパケットの量と、前記バッファ部から出力される前記ＩＰパケットの量とを監視する監視部と、前記監視部の監視結果に基づいて、前記バッファ部が記憶する前記ＩＰパケットの量が一定となるように出力クロックを生成する出力クロック生成部と、前記出力クロックに基づいて、前記バッファ部から前記ＩＰパケットを読み出す出力処理部と、前記出力処理部が読み出した前記ＩＰパケットを無線ＬＡＮで送信する無線ＬＡＮ送信部と、を備えた放送信号転送装置と、前記無線ＬＡＮで送信された前記ＩＰパケットを受信する無線ＬＡＮ受信部と、受信した前記ＩＰパケットから前記ＴＳパケットを取得するIP処理部と、前記パケットの到着間隔からＯＦＤＭ変調用クロックを生成するＴＳ処理クロック同期部と、取得した前記ＴＳパケットを前記ＯＦＤＭ変調用クロックによりＯＦＤＭ変調してＲＦ信号を出力するOFDM変調部と、を備えた放送信号中継装置と、を備えたことを特徴とする放送信号再送信システムである。
【０００９】
また、本発明は、同一宅内に、前記放送信号転送装置を１台または複数台備え、前記放送信号中継装置を１台または複数台備えたことを特徴とする放送信号再送信システムである。
【００１０】
また、本発明は、同一宅内に前記放送信号中継装置を複数備えた前記放送信号再送信システムであって、複数の前記放送信号中継装置が送信する前記ＲＦ信号の干渉を減少させるように前記ＴＳパケットにガードインターバルを設定するガードインターバル設定部を備えたことを特徴とする放送信号再送信システムである。
【発明の効果】
【００１１】
本発明によれば、デジタル放送の信号を、無線ＬＡＮを用いて送信する場合においても、デジタル放送を中継する中継装置で途切れることなく放送信号を送出することができる。
【発明を実施するための最良の形態】
【００１２】
以下、本発明の一実施形態について説明する。初めに、本実施形態における放送信号再送信システムについて説明する。図１は、本実施形態による放送信号再送信システムの全体構成を示す構成図である。図１に示す放送信号再送信システムは、アンテナ１００と、チューナ２００と、独自ワンセグデジタル放送サーバ２１０と、配信サーバ３００と、放送信号転送装置４００（ＬＡＮ送信装置）と、放送信号中継装置５００と、ＲＦ信号を受信する市販のＴＶ受信機６００とを含んで構成される。また、配信サーバ３００と、放送信号転送装置４００とは、通信ネットワークであるＩＰ網３を介して接続している。
【００１３】
ここで、受信したデジタル放送または独自に送信するワンセグ放送（独自ワンセグ放送）を、ＩＰ網３を介して送信することができるように、デジタル放送の送信データをＩＰパケットに変換する設備を設置する所をヘッドエンド局１とし、本実施形態ではアンテナ１００と、チューナ２００と、独自ワンセグデジタル放送サーバ２１０と、配信サーバ３００とを備える。また、一般家庭などの宅内（建物内部）に設置される装置全体を宅内システム２とし、本実施形態では、放送信号転送装置４００と、放送信号中継装置５００と、ＴＶ受信機６００とを備える。なお、デジタル放送としては、地上ワンセグデジタル放送や、独自ワンセグ放送などがある。
【００１４】
アンテナ１００は、ヘッドエンド局１などに設けられるデジタル放送対応のアンテナで、デジタル放送の放送波信号であるＲＦ信号を受信する。チューナ２００は、ヘッドエンド局１などに設けられるデジタル放送対応のチューナで、アンテナ１００で受信したＲＦ信号から、各放送チャンネル（以下、単にチャンネルと呼ぶ）の放送ＴＳパケットを取得する。独自ワンセグデジタル放送サーバ２１０は、独自ワンセグ放送の放送ＴＳパケットを出力する。
【００１５】
配信サーバ３００は、ヘッドエンド局１などに設けられるサーバ装置である。配信サーバ３００は、チューナ２００で取得した放送ＴＳパケットおよび独自ワンセグデジタル放送サーバ２１０が出力する放送ＴＳパケットをＩＰパケット化し、ＩＰ網３と放送信号転送装置４００とを介して、ユニキャストやマルチキャストで放送信号中継装置５００へ送信する。
【００１６】
例えば、配信サーバ３００が放送信号中継装置５００に信号を送信する方法としては、以下の方法が考えられる。配信サーバ３００は、放送ＴＳパケット７個を１個のＩＰパケットのペイロード領域に格納し、ＲＦＣ２２５０で規定されるＲＴＰ（Ｒｅａｌ−ｔｉｍｅ  Ｔｒａｎｓｐｏｒｔ  Ｐｒｏｔｏｃｏｌ）ヘッダをつけてＲＴＰパケットとしたうえで、ＩＰパケット化する。この際、必要に応じてＮＵＬＬＴＳと呼ばれる無効なＴＳパケット等は除かれる。また、配信サーバ３００は、セキュリティを確保するために、ＩＰパケットのペイロード領域を必要に応じて暗号化する。また、配信サーバ３００は、ＩＰ網でのパケットロス等に対応できるようにＦＥＣ（Ｆｏｒｗａｒｄ  Ｅｒｒｏｒ  Ｃｏｒｒｅｃｔｉｏｎ）等の技術を用いてエラー訂正用の情報をＩＰパケットに含め送信する。
【００１７】
放送信号転送装置４００は、配信サーバ３００から送信されたＩＰパケットを受信し、放送信号中継装置５００に転送する。放送信号転送装置４００が放送信号中継装置５００にＩＰパケットを送信する方法としては、無線ＬＡＮを用いて無線で送信する。放送信号転送装置４００の詳細については後述する。
【００１８】
放送信号中継装置５００は、放送信号転送装置４００から送信されたＩＰパケットを受信し、ＩＰパケットに含まれる放送ＴＳパケットをこれから生成されるＯＦＤＭ変調用クロックによりＲＦ信号に変換してＴＶ受信機６００に出力する。本実施形態では、放送信号中継装置５００がＴＶ受信機６００にＲＦ信号を送信する方法としては、アンテナを用いて無線で送信する。
【００１９】
次に、放送信号転送装置４００について説明する。図２は、本実施形態における放送信号転送装置４００の構成を示すブロック図である。放送信号転送装置４００は、受信部４１と、バッファ部４２と、監視部４３と、出力クロック生成部４４と、ＩＰパケット出力処理部４５と、フレーム生成部４６と、無線ＬＡＮ送信部４７とを備える。
【００２０】
受信部４１は、配信サーバ３００からＩＰ網３を介して送信されたＩＰパケットを受信する。バッファ部４２は、受信部４１が受信したＩＰパケットを一時的に蓄える。監視部４３は、バッファ部４２に入力されるＩＰパケットの量と、バッファ部４２から出力されるＩＰパケットの量とを監視する。
【００２１】
出力クロック生成部４４は、監視部４３が監視した結果に基づいて、バッファ部４２が記憶するＩＰパケットの量が一定となるように出力クロックを生成する。ＩＰパケット出力処理部４５は、出力クロック生成部４４が生成した出力クロックに基づいて、バッファ部４２からＩＰパケットを読み出す。フレーム生成部４６は、ＩＰパケット出力処理部４５が読み出したＩＰパケットを無線ＬＡＮで送信するためにフレーム化する。無線ＬＡＮ送信部４７は、フレーム生成部４６が生成したフレームを、無線ＬＡＮを用いて放送信号中継装置５００に送信する。
【００２２】
次に、放送信号転送装置４００の動作について説明する。初めに、受信部４１は、配信サーバ３００から送信されたＩＰパケットを受信する。受信部４１が受信したＩＰパケットはバッファ部４２に蓄えられる。一方、監視部４３は、バッファ部４２に入力されたＩＰパケットの量と、バッファ部４２から出力されたＩＰパケットの量を監視する。
【００２３】
出力クロック生成部４４は、監視部４３が監視した結果に基づいて、バッファ部４２が記憶するＩＰパケットの量が一定となるように、出力クロックを生成する。具体的には、バッファ部４２に入力されるＩＰパケットの量（速度）と、バッファ部４２が出力したＩＰパケットの量（速度）とを比較し、バッファ内に記憶されるＩＰパケットの量が一定となるように出力クロックを生成する。
【００２４】
続いて、ＩＰパケット出力処理部４５は、出力クロック生成部４４が生成した出力クロックに基づいて、バッファ部４２からＩＰパケットを読み出す。これにより、ＩＰパケット出力処理部４５は、ＩＰ網３側と同様の一定間隔でバッファ部４２からＩＰパケットを読み出すことができる。続いて、フレーム生成部４６は、ＩＰパケット出力処理部４５が読み出したＩＰパケットを無線ＬＡＮで送信するためにフレーム化する。続いて、無線ＬＡＮ送信部４７は、フレーム生成部４６が生成したフレームを、無線ＬＡＮを用いて放送信号中継装置５００に送信する。
【００２５】
上述したとおり、放送信号転送装置４００は、放送信号中継装置５００に対して、ＴＳパケットを含んだＩＰパケットを一定間隔で送信することができる。これにより、ワンセグ放送などのＴＳパケットを、無線ＬＡＮを用いて送信する場合においても、一定間隔で放送信号中継装置５００に対して送信することができる。
【００２６】
次に、本実施形態における放送信号中継装置５００について説明する。図３は、本実施形態における放送信号中継装置５００の構成を示すブロック図である。放送信号中継装置５００は、無線ＬＡＮで送信されたＩＰパケットを受信する無線ＬＡＮ受信部５０と、各チャンネルのＩＰパケットをＲＦ信号に変換するｎ個（ｎは１以上の整数）の変換装置５１と、変換装置５１から出力された複数チャンネルのＲＦ信号を１つにまとめて出力する混合器５５とを含んで構成される。変換装置５１は、チャンネルの各々に対応して設けられる。変換装置５１は、ＩＰ処理部５２と、ＴＳ処理クロック同期部５３と、ＯＦＤＭ変調部５４とを含んで構成される。
【００２７】
無線ＬＡＮ受信部５０は、ＬＡＮ送信装置４００から無線ＬＡＮによって送信されたＩＰパケットを受信する。ＩＰ処理部５２は、無線ＬＡＮ受信部５０が受信したＩＰパケットに含まれるＴＳパケットを取得し、ＴＳ処理クロック同期部５３に出力する。具体的には、ＩＰ処理部５２は、各放送波に含まれる放送信号の放送ＴＳパケットをＩＰパケットに変換して通信ネットワークを介してユニキャストやマルチキャスト伝送されるＩＰパケットを受信し、そのＩＰパケットのペイロード部分から放送信号である放送ＴＳパケットを取得し、ＴＳ処理クロック同期部５２に出力する。この際、ＩＰ処理部５２は、ＩＰパケットロス等があった場合には、エラー訂正用情報を使用してＩＰパケットのエラー訂正を行う。また、ＩＰ処理部５２は、受信したＩＰパケットが対象とする放送ＴＳパケットを含むＩＰパケットであるか否かの判定を行い、対象の放送ＴＳパケット以外のデータを含むＩＰパケットを受信した場合には、破棄する。
【００２８】
ＴＳ処理クロック同期部５３は、入力された放送ＴＳパケットを内部のバッファに一時的に保存し、バッファの空き容量を一定の範囲内に保つように一定の間隔でＯＦＤＭ変調部５４に出力する。また、ＴＳ処理クロック同期部５３は、出力する放送ＴＳパケットのパケット量に基づいてＯＦＤＭ変調用クロックを生成し、放送ＴＳパケットと共にＯＦＤＭ変調部５４に出力する。
【００２９】
ＯＦＤＭ変調部５４は、入力されたＯＦＤＭ変調用クロックにＯＦＤＭ変調部５４が持つクロックを同期させて、入力された放送ＴＳパケットをＯＦＤＭ変調してＲＦ信号を生成する。また、ＯＦＤＭ変調部５４は、生成したＲＦ信号を混合器５５に出力する。
【００３０】
混合器５５は、入力されたＲＦ信号を混合し、図示せぬアンテナを介して、混合したＲＦ信号をＴＶ受信機６００に送信する。
【００３１】
上述したとおり、放送信号中継装置５００は、放送ＴＳパケットを含んだＩＰパケットを無線ＬＡＮにより受信し、このＩＰパケットから放送ＴＳパケットを取り出す。また、放送ＴＳパケットをＯＦＤＭ変調してＲＦ信号を生成し、ＴＶ受信機６００出力する。これにより、テレビ受信機６００ではヘッドエンド局１からＩＰ網３を介して送信されたデジタル放送を再生することができる。
【００３２】
また、本実施形態では、ＩＰ網３と放送信号中継装置５００との間に放送信号転送装置４００を設けているため、ＩＰ網３と放送信号中継装置５００とを離れた位置に配置した場合においても、放送信号中継装置５００で放送ＴＳパケットを含んだＩＰパケットの受信を行うことができる。これにより、放送信号中継装置５００の近傍にあるＴＶ受信機６００で地上デジタル放送を再生することができる。
【００３３】
ここで、放送信号転送装置４００が通常の無線ＬＡＮのみを用いた送信装置の場合、一般的に、無線ＬＡＮの特徴により、ＩＰパケットをバースト的に送信するため、放送信号転送装置４００は放送ＴＳパケットが含まれるＩＰパケットを一定間隔で送信することが出来ない。すなわち、放送信号中継装置５００では、一定間隔でＩＰパケットを受信することができず、ＩＰパケットを受信しても、ＯＦＤＭ変調用のクロックを正しく生成できない期間が発生する。放送信号中継装置５００では、ＯＦＤＭ変調用のクロックを正しく生成することができない期間が発生すると、ＲＦ信号を生成することができず、必然的に、ＴＶ受信機６００では、この時点での地上デジタル放送を再生することができないという問題がある。
【００３４】
本実施形態では、放送信号転送装置４００は、バッファ部４２と、監視部４３と、出力クロック生成部４４と、ＩＰパケット出力処理部４５とを備えており、出力クロック生成部４４は、監視部４３が監視した結果に基づいて、ＩＰパケットの入力量（速度）と出力量（速度）が同一になるよう（バッファ部４２が記憶するＩＰパケットの量が一定になる）、ＩＰパケット出力処理部４５がバッファ部４２よりＩＰパケットを読み出すタイミングを決定する。これにより、ＩＰパケット出力処理部４５は、ＩＰ網３側と同様の一定間隔でＩＰパケットを読み出すことができ、読み出したＩＰパケットを無線ＬＡＮ送信部４７が送信する。すなわち、放送信号転送装置４００は、ＩＰ網３側と同様の一定間隔でＩＰパケットを送信することができる。
【００３５】
放送信号転送装置４００から一定間隔でＩＰパケットが送信されるため、放送信号中継装置５００は、ＩＰパケットをＩＰ網３側と同様の一定間隔で受信することができ、パケットをからＯＦＤＭ変調用クロックが生成できないタイミングは発生しない。よって、放送信号中継装置５００は常にＲＦ信号を生成することができ、必然的に、ＴＶ受信機６００では常に地上デジタル放送を再生することができる。
【００３６】
次に、宅内システム２内に、複数の放送信号転送装置４００を備える例について説明する。図４は、本実施形態において、複数の放送信号転送装置４００を備えた宅内システム２の構成を示した構成図である。
【００３７】
図示する例では、宅内システム２は、放送信号転送装置４００−１，４００−２と、放送信号中継装置５００−１，５００−２，５００−３と、ＴＶ受信機６００−１，６００−２，６００−３，６００−４とを備えている。また、放送信号転送装置４００−１がＩＰパケットを送信することができる範囲として範囲４１０が示されている。放送信号中継装置５００−１は範囲４１０内に位置している。この放送信号中継装置５００−１は、ＴＶ受信機６００−１にＲＦ信号を送信する。また、ＬＡＮ送信装置４００−２がＩＰパケットを送信することができる範囲として範囲４２０が示されている。放送信号中継装置５００−２，５００−３は範囲４２０内に位置している。この放送信号中継装置５００−２は、ＴＶ受信機６００−２にＲＦ信号を送信し、放送信号中継装置５００−３は、ＴＶ受信機６００−３，６００−４にＲＦ信号を送信する。
【００３８】
このように、同一宅内に１台または複数台の放送信号転送装置４００を備えてもよい。また、１台の放送信号転送装置４００が、１台または複数台の放送信号中継装置５００にＩＰパケットを送信してもよい。また、１台の放送信号中継装置５００が、１台または複数台のＴＶ受信機６００にＲＦ信号を送信してもよい。なお、放送信号中継装置５００を複数台備えた場合、ＴＶ受信機６００は複数台の放送信号中継装置５００から送信されたＲＦ信号を同時に受信する可能性がある。すなわちＲＦ信号の干渉が起きる可能性がある。このＲＦ信号の干渉の除去方法については後述する。
【００３９】
図示するとおり、同一宅内に１つの放送信号転送装置４００のみを備える場合と比較して、２つの放送信号転送装置４００−１，４００−２を同一宅内に備えることで、より広い範囲にＩＰパケットを送信することができる。よって、各放送信号転送装置４００−１，４００−２が出力する無線信号の出力が小さい場合においても、複数の放送信号転送装置４００−１，４００−２を備えることで、放送信号中継装置５００−１，５００−２，５００−３は宅内の所望地点でＲＦ信号を送信することができる。これにより、ＴＶ受信機６００−１，６００−２，６００−３，６００−４は宅内の所望地点で地上デジタル放送を再生することができる。
【００４０】
ＩＰ網３から放送信号転送装置４００−１，２にＩＰパケットを送信する方法としては、例えば、宅内のＬＡＮにおけるマルチキャストを利用して、放送信号転送装置４００−１，２にＩＰパケットを送信する。また、ＩＰ網３から受信したＩＰパケットを複製する装置（図示せず）を設け、ＩＰパケットを複製し、放送信号転送装置４００−１，２にＩＰパケットを送信してもよい。
【００４１】
次に、宅内システム２内に、複数の放送信号中継装置５００を備えた場合における、各ＴＶ受信機６００でのＲＦ信号の干渉の除去方法について説明する。宅内システム２内に複数の放送信号中継装置５００を設けた場合、各放送信号中継装置５００から送信されるＲＦ信号が干渉することが考えられる。図３に示した例では、放送信号中継装置５００−２が送信したＲＦ信号と、放送信号中継装置５００−３が送信したＲＦ信号とが干渉することが考えられる。
【００４２】
この干渉を抑えるために、ヘッドエンド局１において、送信する信号（放送ＴＳパケット）にガードインターバルを設定する。具体的には、配信サーバ３００は、送信する独自ワンセグデジタル放送ＴＳパケットのガードインターバルを、複数の放送信号中継装置５００から送出されるＲＦ信号のＴＶ受信機６００への到着時間差以上の値に設定する。これにより、複数の放送信号中継装置５００を備えた場合においても、ＴＶ受信機６００は、放送信号中継装置５００から受信した複数のＲＦ信号の重なりを排除することができ、正しく地上デジタル放送を再生することができる。
【００４３】
本実施形態では、ヘッドエンド局１において、独自ワンセグデジタル放送ＴＳパケットを送信する際に、このガードインターバル値を適切に設定することで宅内システム２での干渉を抑える。例えば、宅内システム２内での放送信号の遅延差を測定し、その測定した値以上に、ヘッドエンド局１においてガードインターバルの値を設定する。
【００４４】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４５】
【図１】本発明の一実施形態における放送信号再送信システムの全体構成を示す構成図である。
【図２】本実施形態における放送信号転送装置の構成を示すブロック図である。
【図３】本実施形態における放送信号中継装置の構成を示すブロック図である。
【図４】本実施形態における宅内システムの構成を示した構成図である。
【符号の説明】
【００４６】
１・・・ヘッドエンド局、２・・・宅内システム、３・・・ＩＰ網、４１・・・受信部、４２・・・バッファ部、４３・・・監視部、４４・・・出力クロック生成部、４５・・・ＩＰパケット出力処理部、４６・・・フレーム生成部、４７・・・無線ＬＡＮ送信部、５０・・・無線ＬＡＮ受信部、５１・・・変換装置、５２・・・ＩＰ処理部、５３・・・ＴＳ処理クロック同期部、５４・・・ＯＦＤＭ変調部、５５・・・混合器、１００・・・アンテナ、２００・・・チューナ、３００・・・配信サーバ、４００，４００−１，４００−２・・・ＬＡＮ送信装置、５００，５００−１，５００−２，５００−３・・・放送信号中継装置、６００，６００−１，６００−２，６００−３，６００−４・・・ＴＶ受信機
【図１】
2010045469.tif 000003
【図２】
2010045469.tif 000004
【図３】
2010045469.tif 000005
【図４】
2010045469.tif 000006